(57)【要約】【課題】耐火モルタルの被覆層内に入れられる補強金網を、特殊な工具などを使わずに簡単に決められた場所に固定するとともに、モルタル拭き付け工法を用いた場合も、取付金具の後方に空隙ができないような構造にする。【解決手段】金網固定金具の構造を、補強金網を被覆される躯体から決められた距離に固定する位置決め部品と、位置決め部品に仮止めされた補強金網を固定する部品からなり、この二つの部品は耐火モルタルに被覆される躯体本体に取り付けられたビスにより、躯体本体に同時に固定される構造で、かつこの二つの部品をスライドさせることにより、補強金網をモルタル被覆層内の規定の位置に、片手でも用意に固定することできるようにする。また、位置決め部品、固定する部品とも、躯体本体に固定される基盤部と、躯体表面から決められた距離に補強金網が固定されるようにするために基盤部から垂直に伸びた位置決め部、及び補強金網を固定する保持部からなる３つの構造からなる部品にする。【選択図】図１
2009150202.tif 000002
【特許請求の範囲】
【請求項１】
耐火モルタルの被覆層内に入れられる補強金網を固定する金網固定金具において、補強金網を被覆される躯体から決められた距離に固定する位置決め部品と、位置決め部品に仮止めされた補強金網を固定する部品からなり、この二つの部品は耐火モルタルに被覆される躯体本体に取り付けられたビスにより、躯体本体に同時に固定される構造で、かつこの二つの部品をスライドさせることにより、補強金網をモルタル被覆層内の規定の位置に固定することできるようにしたことを特徴とする金網固定金具。
【請求項２】
上記位置決め部品、固定する部品とも、躯体本体に固定される基盤部と、躯体表面から決められた距離に補強金網が固定されるようにするために基盤部から垂直に伸びた位置決め部、及び補強金網を固定する保持部の３つの構造からなり、位置決め部品、固定する部品とも基盤部には、躯体に取り付けられたビスを通すための穴があけられ、固定する部品の穴はスライド可能な長穴になっており、さらに位置決め部品の保持部には、金網の線材を固定するために、線材の外径とほぼ同じ大きさの線材保持溝が形成され、この線材保持溝に金網の線材を仮固定したのち、固定する部品をスライドすることにより、補強金網を耐火モルタルの被覆層内の決められた位置に固定することを特徴とする請求項１に記載の金網固定金具。
【発明の詳細な説明】
【産業上の利用分野】
【０００１】  本発明は、構造物の表面に耐火モルタル層を一体的に積層する工事において、被覆モルタル層内に固定される補強金網の固定金具に関する。
【背景技術】
【０００２】構造物の表面に耐火モルタル層を一体的に積層する工事においては、構造物にあらかじめ補強金網を構造物の表面から決められた距離に固定し、その後耐火モルタルを被覆することにより、耐火モルタル層の強度を増し、耐火モルタル層が落下することなどを防止することが必要である。一方、耐火モルタルを被覆される構造物の大型化に伴い、耐火モルタルの被覆工法も手で全てのモルタルを被覆する方法から、セメントガンを使いモルタル材料を圧さく空気によって吹き付ける、吹き付け工法が開発されてきて、そのために使われる補強金網の固定金具についても、拭きつけ工法に適した形、すなわち拭きつけた場合に固定金具の後方に空隙が出来ない構造にすることなども要求されるようになってきた。【０００３】従来の耐火モルタル被覆工事には、補強金網固定金具として、構造物に固定されたビスに、構造物表面からの一定の距離をとるためのスペーサーと金具を固定するための金具を組み合わせて使う構造が採用されていた。これとは別にスペーサーと金網を固定する金具を一体化した金具も考案され採用されてきている。
【発明が解決しようとする課題】
【０００４】  一方、耐火被覆される構造物がトンネルなどのより大型な施工になってきたことにより、補強金網を固定金具に固定する際の省力化が必要となってきた。特に、トンネル工事などは作業者が高所でかつ上を向いて作業することが多く、片手で用意に補強金網を固定金具に固定することが必要とされている。しかしながら、従来の固定金具は補強金網の線材を固定金具に固定する際に、ドライバーなどの工具を使わなければならず、高所作業などでは施工性に問題がある。
【０００５】さらに、モルタル拭き付け工法の普及に伴い、モルタルを吹き付けた際に金網固定金具の後方に空隙が出来ないような構造、すなわち構造物表面に対して平行になる金網固定部面積が小さくなるような構造の金網固定金具をする必要があった。
【０００６】したがって、本発明は、被覆モルタル内に固定される補強金網を片手で簡単に固定できる構造にするとともに、モルタル拭き付け工法を採用した場合でも金網固定金具の後方に空隙ができない構造を持つ、金網固定金具を提供することを目的に提案されたものである。
【課題を解決するための手段】
【０００７】  この目的を達成する本発明にかかる金網固定金具は、耐火モルタルの被覆層内に入れられる補強金網を固定する金網固定金具において、補強金網を被覆される躯体から決められた距離に固定する位置決め部品と、位置決め部品に仮止めされた補強金網を固定する部品からなり、この二つの部品は耐火モルタルに被覆される躯体本体に取り付けられたビスにより、躯体本体に同時に固定される構造で、かつこの二つの部品をスライドさせることにより、補強金網をモルタル被覆層内の規定の位置に、片手でも用意に固定することできるようにする。
【０００８】また、モルタル拭き付け工法を採用した場合に、モルタルをセメントガンで吹き付けた場合に、金網固定金具の後方に空隙が出来にくい構造になるように、上記位置決め部品、固定する部品とも、躯体本体に固定される基盤部と、躯体表面から決められた距離に補強金網が固定されるようにするために基盤部から垂直に伸びた位置決め部、及び補強金網を固定する保持部からなる３つの構造からなる部品にすることにより、金網を保持する保持部分の面積を小さくすることが可能となり、モルタルをエアガンなどにより構造物表面に垂直に吹きつけた場合でも、金網固定金具の後方に空隙ができにくい構造とする。
【発明を実施するための最良の形態】
【０００９】  以下、図示の実施の形態に基づき本発明を細説する。
本考案は、補強金網を被覆される躯体から決められた距離に固定する位置決め部品１と、位置決め部品に仮止めされた補強金網を固定する固定部品２からなり、この二つの部品は耐火モルタルに被覆される躯体本体に取り付けられたビス３により、躯体本体に同時に固定される構造で、かつこの二つの部品をスライドさせることにより、補強金網をモルタル被覆層内の規定の位置に固定する。【００１０】位置決め部品１と、固定部品２の位置決め部の長さは、補強金網を躯体本体からいくらの距離に設置するかにより、決定される。またこの部分は、それぞれの固定部から垂直に出る構造にすることにより、モルタル吹き付け工法を用いた場合、吹き付け方向の断面積は小さくすることができ、その後方の空隙を小さくすることが可能となる。【００１１】位置決め部品１の保持部には、金網の線材を固定するために、線材の外径とほぼ同じ大きさの線材保持溝が形成され、この線材保持溝に金網の線材を仮固定できる。また、この保持部は、金網を保持するだけの面積があれば良いので、モルタル拭き付け工法を用いた場合でも、その後方にできる空隙を小さくすることが可能となる。【００１２】図２は、金網固定金具を用いた補強金網の固定手順をしめしたものである。まず、金網固定金具の位置決め部品１と固定部品２をビスに通し、ナット４で仮固定する。この際ナットは仮絞めとし、金具が手で押した時に動くようにする。また、位置決め部品１と固定部品２のそれぞれの保持部の間に補強金網の線材５が入るだけの隙間を確保する。次に、補強金網の線材を位置決め部品の溝の部分に入れ線材を仮固定した後に、固定部品を手で押し込むことにより、線材を固定する。最後に、ナットを本締めして補強金網の固定を完了する。
【発明の効果】
【００１３】  本考案により、耐火モルタルの被覆層内に入れられる補強金網を、特殊な工具などを使わずに容易に固定することが可能となり、作業性が大幅に向上されるとともに、モルタル拭き付け工法を用いたばあいでも、金網固定金具の後方に空隙が出来にくくなり、施工の確実性がする。
【図面の簡単な説明】
【００１４】
【図１】金網固定金具の斜視図である。
【図２】本発明の取付金物の施工手順書である。
【符号の説明】
１…位置決め部品、２…固定部品、３…ビス、４…ナット、５…金網を構成する線材
【図１】
2009150202.tif 000003
【図２】
2009150202.tif 000004